(57)【要約】【課題】該認証用の生体情報と予め登録しておいた生体情報とを照合して同一性を判定した場合に、同一性がないとして照合失敗した時の失敗画像を活用して正しい操作を確実にし、あるいは／およびイタズラ等の不正使用を防止するようにする。【解決手段】認証用の生体情報の認証用画像と予め登録しておいた生体情報の登録画像とを照合して照合不一致とされ、照合失敗が出力されたときの、照合失敗時の判定しきい値に対する照合値の大小に判定し、前回の照合失敗時の認証用画像を登録画像に関連づけて登録する。今回の認証時の照合失敗時の認証用画像を登録画像に関連づけて登録しておいた照合失敗時の認証用画像と照合して類似性を判定し、前回および今回の照合値の大小判定によりいずれも照合値大で、かつ類似性判定により前回の認証失敗時の認証用画像と今回の認証失敗時の認証用画像が類似性大と判定されたときに、操作警告表示する。【選択図】図２
2008097248.tif 000002
【特許請求の範囲】
【請求項１】
生体情報を予め登録しておき、認証時に認証用の生体情報を入力し、該認証用の生体情報と予め登録しておいた生体情報とを照合して同一性を判定して認証を行う個人認証装置において、
前記認証用の生体情報の認証用画像と予め登録しておいた生体情報の登録画像とを照合して同一性を判定する手段、照合不一致とされ、照合失敗が出力されたときの、判定しきい値に対する照合値の大小を判定する手段、前回の照合失敗時の認証用画像を前記登録画像に関連づけて登録する手段、今回の認証時の照合失敗時の認証用画像を前記登録画像に関連づけて登録しておいた前記照合失敗時の認証用画像と照合して類似性を判定する手段、前回および今回の照合値の大小判定によりいずれも照合値大で、かつ類似性判定により前回の認証失敗時の認証用画像と今回の認証失敗時の認証用画像が類似性大と判定されたときに、操作警告表示する手段を備えて構成されることを特徴とする個人認証装置。
【請求項２】
請求項１において、登録画像と認証用画像とが前回と今回共照合値が小さく、かつ今回の認証時の照合失敗時の認証用画像と前回照合失敗時の認証用画像とを照合して類似性を判定して類似性大と判定されたときに、イタズラ防止警告表示する手段を備えることを特徴とする個人認証装置。
【請求項３】
生体情報を予め登録しておき、認証時に認証用の生体情報を入力し、該認証用の生体情報と予め登録しておいた生体情報とを照合して同一性を判定して認証を行う個人認証装置において、
前記認証用の生体情報の認証用画像と予め登録しておいた生体情報の登録画像とを照合して同一性を判定する手段、照合不一致とされ、照合失敗が出力されたときの、判定しきい値に対する照合値の大小を判定する手段、前回の照合失敗時の認証用画像を前記登録画像に関連づけて登録する手段、今回の認証時の照合失敗時の認証用画像を前記登録画像に関連づけて登録しておいた前記照合失敗時の認証用画像と照合して類似性を判定する手段、前回または今回の照合値の大小判定によりいずれかの照合値大で、かつ類似性判定により前回の認証失敗時の認証用画像と今回の認証失敗時の認証用画像が類似性大と判定されたときに、操作警告表示する手段を備えて構成されることを特徴とする個人認証装置。
【請求項４】
請求項３において、登録画像と認証用画像とが前回と今回のいずれかの照合値が小さく、かつ今回の認証時の照合失敗時の認証用画像と前回照合失敗時の認証用画像とを照合して類似性を判定して類似性大と判定されたときに、イタズラ防止警告表示する手段を備えることを特徴とする個人認証装置。
【請求項５】
生体情報を予め登録しておき、認証時に認証用の生体情報を入力し、該認証用の生体情報と予め登録しておいた生体情報とを照合して同一性を判定して認証を行う個人認証装置による個人認証方法において、
前記認証用の生体情報の認証用画像と予め登録しておいた生体情報の登録画像とを照合して同一性を判定し、照合不一致とされ、照合失敗が出力されたときの、判定しきい値に対する照合値の大小を判定し、前回の照合失敗時の認証用画像を前記登録画像に関連づけて登録し、今回の認証時の照合失敗時の認証用画像を前記登録画像に関連づけて登録しておいた前記照合失敗時の認証用画像と照合して類似性を判定し、前回または今回の照合値の大小判定により照合値大で、かつ類似性判定により前回の認証失敗時の認証用画像と今回の認証失敗時の認証用画像が類似性大と判定されたときに、操作警告表示することを特徴とする個人認証方法。
【請求項６】
請求項５において、登録画像と認証用画像とが前回のいずれかの今回共照合値が小さく、かつ今回の認証時の照合失敗時の認証用画像と前回照合失敗時の認証用画像とを照合して類似性を判定して類似性大と判定されたときに、イタズラ防止警告表示することを特徴とする個人認証方法。
【発明の詳細な説明】
【技術分野】
【０００１】
本発明は個人認証装置および個人認証方法に関する。
【背景技術】
【０００２】
最近、生体情報を利用して本人を確認するシステムの運用が拡大している。
例えば、指静脈や指紋を利用したＰＣログオンシステムや指静脈を利用した入退管理システム、銀行のＡＴＭシステム、ゲーム店のコイン管理システムなどである。
【０００３】
特許文献１には、一人の人間に複数が存在する生体情報を種別ごとに事前に登録しておき、登録されている生体情報の複数の種別から少なくとも一つの選択、選択された種別の生体情報の入力を指示し、生体情報の入力を受け付け、入力された生体情報と選択された種別の登録されている生体情報とを照合するようにした生体照合方法が記載されている。
【０００４】
特許文献２には、認証情報判定手段にサービス提供単位毎に通常のサービス許可用認証情報とセキュリティ連動認証情報を設け、認証情報入力手段によりセキュリティ連動認証情報が入力された場合は、セキュリティ連動認証情報の種類に応じて、認証情報入力時情報記録手段おいて、認証情報入力地点の記録情報の組合せ変更や情報記録精度を向上させ、認証情報入力時情報記録手段の記録情報を認証情報入力者やセキュリティサービス機構などに通知することが記載されている。
【０００５】
特許文献３には、偽造指の挿入があった場合に、使用者に警告部が警告を行うことが記載されている。
【０００６】
特許文献４には過去に失敗した特許情報の記憶領域を有する記憶部を設けることが記載されている。
【０００７】
【特許文献１】特開平１１−５３５４０号公報
【特許文献２】特開２０００−２９８７５６号公報
【特許文献３】特開２００５−９１１１８号公報
【特許文献４】特開２００６−７９５３７号公報
【発明の開示】
【発明が解決しようとする課題】
【０００８】
生体情報は、これを利用すれば個人を特定することが可能であるため非常に重要な情報であるが、一方で漏洩すると不正利用される可能性があり危険性が高い情報でもある。そこで、一般的には登録したデータを暗号化して、仮に漏洩してもデータ自体の内容が理解できないようにしている。
【０００９】
本発明は、生体情報を予め登録しておき、認証時に認証用の生体情報を入力し、該認証用の生体情報と予め登録しておいた生体情報とを照合して同一性を判定した場合に、同一性がないとして照合失敗した時の失敗画像を活用して正しい操作を確実に行えるようにし、あるいは／およびイタズラ等の不正使用を防止するようにした個人認証装置および個人認証方法を提供することを目的とする。
【課題を解決するための手段】
【００１０】
本発明は、生体情報を予め登録しておき、認証時に認証用の生体情報を入力し、該認証用の生体情報と予め登録しておいた生体情報とを照合して同一性を判定して認証を行う個人認証装置において、
前記認証用の生体情報の認証用画像と予め登録しておいた生体情報の登録画像とを照合して同一性を判定する手段、照合不一致とされ、照合失敗が出力されたときの、照合失敗時の判定しきい値に対する照合値の大小に判定する手段、前回の照合失敗時の認証用画像を前記登録画像に関連づけて登録する手段、今回の認証時の照合失敗時の認証用画像を前記登録画像に関連づけて登録しておいた前記照合失敗時の認証用画像と照合して類似性を判定する手段、前回および今回の照合値の大小判定によりいずれも照合値大で、かつ類似性判定により前回の認証失敗時の認証用画像と今回の認証失敗時の認証用画像が類似性大と判定されたときに、操作警告表示する手段を備えて構成されることを特徴とする個人認証装置を提供する。
【００１１】
上述の個人認証装置は、登録画像と認証用画像とが前回と今回共照合値が小さく、かつ今回の認証時の照合失敗時の認証用画像と前回照合失敗時の認証用画像とを照合して類似性を判定して類似性大と判定されたときに、イタズラ防止警告表示する手段を備えることを特徴とする。
【００１２】
本発明は、生体情報を予め登録しておき、認証時に認証用の生体情報を入力し、該認証用の生体情報と予め登録しておいた生体情報とを照合して同一性を判定して認証を行う個人認証装置において、
前記認証用の生体情報の認証用画像と予め登録しておいた生体情報の登録画像とを照合して同一性を判定する手段、照合不一致とされ、照合失敗が出力されたときの、照合失敗時の判定しきい値に対する照合値の大小に判定する手段、前回の照合失敗時の認証用画像を前記登録画像に関連づけて登録する手段、今回の認証時の照合失敗時の認証用画像を前記登録画像に関連づけて登録しておいた前記照合失敗時の認証用画像と照合して類似性を判定する手段、前回または今回の照合値の大小判定によりいずれかの照合値大で、かつ類似性判定により前回の認証失敗時の認証用画像と今回の認証失敗時の認証用画像が類似性大と判定されたときに、操作警告表示する手段を備えて構成されることを特徴とする個人認証装置を提供する。
【００１３】
上述の個人認証装置は、登録画像と認証用画像とが前回と今回のいずれかの照合値が小さく、かつ今回の認証時の照合失敗時の認証用画像と前回照合失敗時の認証用画像とを照合して類似性を判定して類似性大と判定されたときに、イタズラ防止警告表示する手段を備えることを特徴とする。
【００１４】
本発明は、生体情報を予め登録しておき、認証時に認証用の生体情報を入力し、該認証用の生体情報と予め登録しておいた生体情報とを照合して同一性を判定して認証を行う個人認証装置による個人認証方法において、
前記認証用の生体情報の認証用画像と予め登録しておいた生体情報の登録画像とを照合して同一性を判定し、照合不一致とされ、照合失敗が出力されたときの、照合失敗時の判定しきい値に対する照合値の大小を判定し、前回の照合失敗時の認証用画像を前記登録画像に関連づけて登録し、今回の認証時の照合失敗時の認証用画像を前記登録画像に関連づけて登録しておいた前記照合失敗時の認証用画像と照合して類似性を判定し、前回または今回の照合値の大小判定により照合値大で、かつ類似性判定により前回の認証失敗時の認証用画像と今回の認証失敗時の認証用画像が類似性大と判定されたときに、操作警告表示することを特徴とする個人認証方法を提供する。
【００１５】
上述の個人認証方法は、登録画像と認証用画像とが前回のいずれかの今回共照合値が小さく、かつ今回の認証時の照合失敗時の認証用画像と前回照合失敗時の認証用画像とを照合して類似性を判定して類似性大と判定されたときに、イタズラ防止警告表示することを特徴とする。
【発明の効果】
【００１６】
本発明によれば、生体情報を予め登録しておき、認証時に認証用の生体情報を入力し、該認証用の生体情報と予め登録しておいた生体情報とを照合して同一性を判定した場合に、同一性がないとして照合失敗した時の失敗画像を活用して正しい操作を確実に行えるようにしたり、あるいは／およびイタズラ等の不正使用を防止するようにした個人認証装置および個人認証方法を提供することができる。
【発明を実施するための最良の形態】
【００１７】
以下、本発明の実施例を図面に基づいて説明する。
【実施例】
【００１８】
図１は、本発明の実施例である個人認証方法を説明するための個人認証装置の構成を示す図である。本実施例は、特に生体情報を利用して本人を識別する入退管理システムに適して適用されるが、これに限定されない。
【００１９】
図１は、個人認証装置１００を示し、この個人認証装置１００は、ＣＰＵ（制御部）１にバス１２を介して連結された入力部２、生体情報読み取り手段３、表示部４、記憶媒体（記憶手段）５、生体情報取り込み手段６、生体情報読み出し手段７、照合，同一性判定処理手段（照合手段、同一性判定手段処理手段を含む）８，登録手段9および警告表示手段１０を備える。登録手段９は記憶媒体５に関連する。
【００２０】
生体情報は人間の指静脈、指紋、目あるいは顔などの特徴を示す情報であり、これらは生体情報取り込み手段６、すなわち指静脈、指紋、目あるいは顔などの撮像装置によって取得される。指静脈あるいは指紋は右手人差し指、左手小指などの指種は異なった生体情報となる。
【００２１】
表示部４は、予め登録した生体情報、照合のために読み込んだ生体情報（照合生体情報）などを表示するための装置を示す。
【００２２】
入力部２は、個人認証装置１００の使用者が生体情報の取得指示や照合処理の開始をＣＰＵに指示するための、例えばキーボード装置などの入力装置である。ＣＰＵに対する指示によってデータ入力指示が検出される。
【００２３】
生体情報取り込み手段６は、生体情報読み取り手段３によって取得された生体情報を取り込んで記憶媒体５あるいはサーバ１１に登録（格納）させる手段である。記憶手段５は、半導体メモリのＲＯＭ，ＲＡＭやハードディスク装置等で構成され、制御プログラムを格納している他に、生体情報取り込み手段６に取り込まれた生体情報を登録してる。
【００２４】
生体情報読み出し手段７は、ＣＰＵ１の指示によってＩＣカードもしくはサーバ１１，あるいは記憶媒体５から登録済の生体情報を読み出す手段である。なお、図に示すサーバ１１は外部に設置されるサーバを意味し、記憶媒体５は内部における記憶手段を意味する。
【００２５】
照合、同一性判定処理手段８は、生体情報読み出し手段７によって読み出されたＩＣカードもしくはサーバ１１（または記憶媒体５）に登録された生体情報を生体情報読み取り手段３によって読み取られた生体情報を照合し、同一性を判定し、同一性が認識あるいは同一性がないと認識された後の処理を行う手段であり、照合手段、同一性判定手段および処理手段を含む。警告表示手段１０は、画面上に警告を表示する手段である。
【００２６】
図２は、図１の照合、同一性判定処理手段８および警告表示手段１０の有する機能の詳細を示す図である。図２において、予め登録しておいた生体情報の登録画像（テンプレート）８１と認証用の生体情報の認証用画像８２との照合８３、すなわち１対Ｎ認証あるいは１対１認証の操作を伴なう照合を行う。この照合によって両者の同一性が判定される。本例の場合、照合値＞判定しきい値ならば、同一性大として本人としての認証（認証成功）を行う。照合値＜判定しきい値ならば同一性小として他人としての認証を行う。この場合は照合失敗（認証失敗）となる。
【００２７】
この照合不一致、すなわち照合失敗８４の場合に、登録画像８１と認証用画像（１）８２との照合値の大小（照合失敗が出力されたときの判定しきい値に対する照合値の大小であり、より具体的には照合値が設定したしきい値との比較によって判定しきい値の近傍にあった場合を大、それ以外を小として取り扱う。）の判定を行う。照合値の大小がいずれの場合、すなわち照合失敗したときには照合失敗時の認証用画像（１）８２について登録画像と関連づけて記憶手段５への登録を行う。これが前回の認証用画像（１）８２となる。またこの場合に照合値の大小が登録される。今回（前回につづいての認証時）についても同様に登録画像８１と新たに取得された認証用画像（２）８７との照合を行い、照合するかどうかを判定する。前回同様に同一性が認められれば本人認証を行い、同一性が認められないと照合失敗として出力される。この照合失敗の場合、前回と同様に照合を行って照合値の大小の判定を行い、登録を行う。
【００２８】
次に照合失敗時の認証用画像（１）８６と認証用画像（２）８７との照合を行う。この場合の照合による同一性判定は上述の同一定判定と性格を同じにするものであるが両者を区別するためにここでは類似度判定８９と称する。
【００２９】
従って、この段階において、同一性が認められなかった場合に、前回の照合値大小判定、今回の照合値大小判定および今回の類似度判定の３回の判定が行われたことになる。この３回の判定の結果に対応して２つの警告の内のいずれかの警告を行う警告表示指令９０を発する。前述のように、認証用の画像（１）、認証用の画像（２）を登録画像と関連づけておくことによって１回の照合値大小判定および１回の類似度判定をすることができる。
【００３０】
警告表示手段１０において、警告表示指令９０に対応してイタズラ警告表示９１および正しい操作警告表示９２がなされる。
【００３１】
図３は、照合度大小および類似度判定を一覧表にして示す。図３において、まず照合値と判定しきい値が比較されて同一性が判定される。照合値＞判定しきい値の場合は本人としての認証がなされ、照合値＜判定しきい値の場合には他人としての認証がなされる。照合値＜判定しきい値の場合に、前述したように照合度大、照合度小の判定ならびに認証用画像（１）８６と認証用画像（２）８７との類似度判定を行う。
【００３２】
例えば、照合値が本人の判定しきい値をわずかに下回る程度で小さいような場合で照合が失敗しているとき、認証用画像（１）８６と認証用画像（２）８７とが類似している（類似度大，すなわちしきい値より大）の場合には（前回照合値が判定しきい値に対してわずかに小、今回照合値わずかに小、今回類似度大）、正常なユーザが操作しているが操作失敗しているが想定されるため正しい操作警告表示、例えば“指を正しく入れてください”といった警告を表示する。
【００３３】
一方、照合値が本人の判定しきい値に比べて非常に小さくて照合が失敗しているとき、認証用画像（１）８６と認証用画像（２）８７とが類似している（類似度大、すなわちしきい値より大）の場合には（前回照合値非常に小、今回照合値非常に小、今回類似度大）、不正操作などのイタズラを目的とした人が操作をしていることが想定されるため、イタズラ警告表示、例えば“イタズラをやめてください”といった警告を表示する。
【００３４】
図４に、警告表示の内容を示す。画面２１にイタズラ防止警告表示機能２２と操作警告表示機能２４を持たせ、それぞれ“イタズラをやめてください”、“指を正しく入れてください”との表示を行う。これによって、正しいユーザが操作していると想定した場合と、イタズラをする人が操作していると想定した場合とを区別して表示することができる。一方のみの警告表示をすることもできる。
【００３５】
図５は、本実施例のフローを示す。
図５において、認証用画像（１）を個人認証装置により取得し（Ｓ１）、登録画像と認証用画像（１）との照合を行う（Ｓ２）。照合値を本人の判定しきい値と比較し、称号値＞判定しきい値の場合に本人認証を行い（Ｓ４）、照合値＜判定しきい値の場合に他人認証を行う。後者の照合値＜判定しきい値の場合に、照合値が判定しきい値に対して差が非常に小さいか非常に大きいかの判定、すなわち照合値の大小の判定を行う（Ｓ５）いずれかの場合にあっても照合失敗時の認証用画像（１）を記憶手段、例えば記憶媒体５あるいはサーバ１２への登録を行う。前回の場合には前回の照合失敗時の認証用画像（１）として登録画像と関連づけて登録を行う（Ｓ６）。
【００３６】
次に、今回の認証用画像（２）の取得を行い（Ｓ７）、前回同様に登録画像と認証用画像（２）との照合を行う（Ｓ８）。前回と同様に本人認証（Ｓ１０）、他人認証を行う。また、この時に前回同様に照合値大小の判定（Ｓ１１）を行い、今回照合失敗時の認証用画像（２）を登録画像と関連づけて登録する。認証用画像（１）と認証用画像（２）とは登録用画像（２）とは登録画像を介して関連づけられる。
【００３７】
認証用画像（１）と認証用画像（２）との照合を行って照合するかを判定し（Ｓ１３）、両者の類似度を本人のしきい値との比較によって判定する（Ｓ１４）。いずれかの照合度の大小および類似度大判定あるいはいずれもの照合度の大小および類似度大の判定によって警告別警告表表示指令（Ｓ１５）を警告表示手段１０に発する。
【００３８】
このようなステップによって、
生体情報を予め登録しておき、認証時に認証用の生体情報を入力し、該認証用の生体情報と予め登録しておいた生体情報とを照合して同一性を判定して認証を行う個人認証装置による個人認証方法において、
前記認証用の生体情報の認証用画像と予め登録しておいた生体情報の登録画像とを照合して同一性を判定し、照合不一致とされ、照合失敗が出力されたときの、照合失敗時の判定しきい値に対する照合値の大小を判定し、前回の照合失敗時の認証用画像を前記登録画像に関連づけて登録し、今回の認証時の照合失敗時の認証用画像を前記登録画像に関連づけて登録しておいた前記照合失敗時の認証用画像と照合して類似性を判定し、前回または今回の照合値の大小判定により照合値大で、かつ類似性判定により前回の認証失敗時の認証用画像と今回の認証失敗時の認証用画像が類似性大と判定されたときに、操作警告表示することを特徴とする個人認証方法が構成され、更に、登録画像と認証用画像とが前回のいずれかの今回共照合値が小さく、かつ今回の認証時の照合失敗時の認証用画像と前回照合失敗時の認証用画像とを照合して類似性を判定して類似性大と判定されたときに、イタズラ防止警告表示することを特徴とする個人認証方法が構成される。
【図面の簡単な説明】
【００３９】
【図１】本発明の実施例の構成を示す図。
【図２】本実施例の機能を示す図。
【図３】図２の一部機能の詳細な機能を示す図。
【図４】表示例を示す図。
【図５】本実施例のフローチャート図。
【符号の説明】
【００４０】
１…ＣＰＵ、２…入力部、３…生体情報読み取り手段、４…表示部、５…記憶媒体（記憶手段）、６…生体情報取り込み手段、７…生体情報読み出し手段、８…照合，同一性判定処理手段、９…登録手段、１０…警告表示手段、１１…サーバ、１００…個人認証装置。
【図１】
2008097248.tif 000003
【図２】
2008097248.tif 000004
【図３】
2008097248.tif 000005
【図４】
2008097248.tif 000006
【図５】
2008097248.tif 000007